(57)【特許請求の範囲】
【請求項１】
ワイヤハーネスが挿通される車体パネルに形成された貫通孔に取付けられるグロメットであって、
ワイヤハーネスが挿通される挿通孔を形成する小径筒部と、
前記小径筒部から外側に拡がるとともに前記小径筒部の軸方向に延びるように形成され、その外周部に前記貫通孔の周縁部を嵌め込み可能な環状溝が形成された拡径筒部と、
前記拡径筒部の内周面から径方向内側に延びて前記拡径筒部を閉鎖する閉鎖面部と、
前記閉鎖面部から前記軸方向一方側に延びており、前記ワイヤハーネスが挿通される挿通孔を形成する補助筒部と、
を備え、
前記閉鎖面部は、前記補助筒部を囲む周方向に延びており前記軸方向に突出する山部と、前記周方向に延びており前記山部が突出する方向とは反対の方向に突出する谷部とが前記拡径筒部の径方向に交互に設けて構成される蛇腹部を有しており、
前記蛇腹部は、前記軸方向への突出高さが異なる隣接した２つの前記山部を有する、グロメット。
【請求項２】
請求項１に記載のグロメットであって、
前記蛇腹部は、前記山部を３つ以上有しており、
連続する３つの前記山部のうち、前記径方向の外側及び内側に位置する２つの前記山部が、中央の前記山部よりも前記軸方向に突出している、グロメット。
【請求項３】
請求項２に記載のグロメットであって、
前記山部の突出する方向が、前記拡径筒部から遠ざかる方向である、グロメット。
【請求項４】
請求項１から請求項３までのいずれか１項に記載のグロメットと、
前記小径筒部及び前記補助筒部に挿通状態で保持された前記ワイヤハーネスと、
を備える、グロメット付ワイヤハーネス。
【発明の詳細な説明】
【技術分野】
【０００１】
この発明はグロメットに関し、特に、自動車に配策されるワイヤハーネスに組付けて、車体パネルの貫通孔に装着され、貫通孔の挿通部分におけるワイヤハーネスの保護及び防水、防塵を図る技術に関する。
【背景技術】
【０００２】
自動車のエンジンルームから車室内へ配策されるワイヤハーネスにはゴム又はエラストマー等で形成されるグロメットが装着され、該グロメットをエンジンルームと車室とを仕切る車体パネルの貫通孔に取付けられている。このような構造によって、貫通孔に挿通されるワイヤハーネスの保護、エンジンルーム側から車室側への水、塵の浸入防止、遮音が図られている。
【０００３】
特許文献１には、図６に示すように、車体係止凹部９１２を設けた拡径筒部９１３の大径側先端の内周面から突出させた一対の半円形状の閉鎖面部９１４，９１５と、一対の閉鎖面部９１４，９１５の対向端の中央の円形切欠の周縁から夫々突出させた一対の半円環筒部９１６，９１７を備え、該一対の半円環筒部９１６，９１７の外周面に粘着テープ巻き固着するグロメット９１０が開示されている。
【０００４】
一対の閉鎖面部９１４，９１５は、拡径筒部９１３より薄肉とすると共に、半円環筒部９１６，９１７の根元を囲む半周方向に延在する山部９２０と谷部９２１とを径方向に交互に設けた蛇腹部９５０を有している。閉鎖面部９１４，９１５の中央から突出する半円環筒部９１６，９１７がテープ巻き固着するワイヤハーネス９０１の外径の大小およびワイヤハーネス９０１の屈曲方向に応じて変形した場合に閉鎖面部９１４，９１５の変形を蛇腹の伸縮によって吸収し、閉鎖面部９１４，９１５の外周側に連結した拡径筒部９１３の車体係止凹部９１２の変形発生を防止している。
【先行技術文献】
【特許文献】
【０００５】
【特許文献１】特開２００９−２２５５０９号公報
【発明の概要】
【発明が解決しようとする課題】
【０００６】
しかしながら、図７に示すように、グロメット９１０に保持されたワイヤハーネス９０１が大きく曲げられて経路規制されることによって、例えば閉鎖面部９１５の蛇腹部分に大きな圧縮力が作用した場合、閉鎖面部９１５が形状を維持できずに内側（拡径筒部９１３の側）に入り込むおそれがあった。この場合、拡径筒部９１３と閉鎖面部９１５とで形成される空気槽９２２が狭められることによって、グロメット９１０の遮音性能が低下してしまう。
【０００７】
そこで、本発明は、保持したワイヤハーネスの曲がりによるグロメットの遮音性能の低下を低減する技術を提供することを目的とする。
【課題を解決するための手段】
【０００８】
上記の課題を解決するため、第１の態様は、ワイヤハーネスが挿通される車体パネルに形成された貫通孔に取付けられるグロメットであって、ワイヤハーネスが挿通される挿通孔を形成する小径筒部と、前記小径筒部から外側に拡がるとともに前記小径筒部の軸方向に延びるように形成され、その外周部に前記貫通孔の周縁部を嵌め込み可能な環状溝が形成された拡径筒部と、前記拡径筒部の内周面から径方向内側に延びて前記拡径筒部を閉鎖する閉鎖面部と、前記閉鎖面部から前記軸方向一方側に延びており、前記ワイヤハーネスが挿通される挿通孔を形成する補助筒部と、を備え、前記閉鎖面部は、前記補助筒部を囲む周方向に延びており前記軸方向に突出する山部と、前記周方向に延びており前記山部が突出する方向とは反対の方向に突出する谷部とが前記拡径筒部の径方向に交互に設けて構成される蛇腹部を有しており、前記蛇腹部は、前記軸方向への突出高さが異なる隣接した２つの前記山部を有する。
【０００９】
また、第２の態様は、第１の態様に係るグロメットであって、前記蛇腹部は、前記山部を３つ以上有しており、連続する３つの前記山部のうち、前記径方向の外側及び内側に位置する２つの前記山部が、中央の前記山部よりも前記軸方向一方側に突出している。
【００１０】
また、第３の態様は、第２の態様に係るグロメットであって、前記軸方向一方側が、前記拡径筒部から遠ざかる方向である。
【００１１】
また、第４の態様は、グロメット付ワイヤハーネスであって、第１から第３までのいずれか１項の態様に係るグロメットと、前記小径筒部及び前記補助筒部に挿通状態で保持された前記ワイヤハーネスとを備える。
【発明の効果】
【００１２】
第１から第３の態様に係るグロメットによると、小径筒部及び補助筒部に挿通されたワイヤハーネスが曲げられることで、蛇腹部が圧縮された際に、突出高さが高い方の山部が、低い方の山部に被さるようにして重なることができる。これによって、蛇腹部をより薄く圧縮変形させることが可能となる。したがって、蛇腹部が崩れることで拡径筒部及び閉鎖面部で形成される空気槽に入り込むことを抑制でき、グロメットの遮音性能が低下することを抑制できる。
【００１３】
また、第２の態様に係るグロメットによると、蛇腹部が圧縮された際に、外側及び内側に位置する２つの山部が、中央の山部を越えて接近して重なり合うことができる。これによって、蛇腹部を薄く圧縮変形させることが可能となり、蛇腹部が空気槽に入り込むことをより効果的に抑制できる。
【００１４】
また、第３の態様に係るグロメットによると、中央の山部よりも突出する２つの山部を、拡径筒部から遠ざかる方向に突出させることによって、空気槽の容積を拡大させることができる。これによって、グロメットの遮音効果を高めることができる。
【００１５】
また、第４の態様に係るグロメット付ワイヤハーネスによると、小径筒部及び補助筒部に挿通されたワイヤハーネスが曲げられることで、蛇腹部が圧縮された際に、突出高さが高い方の山部が、低い方の山部に被さるようにして重なることができる。これによって、蛇腹部をより薄く圧縮変形させることが可能となる。したがって、蛇腹部が崩れることで拡径筒部及び閉鎖面部で形成される空気槽に入り込むことを抑制でき、グロメットの遮音性能が低下することを抑制できる。
【図面の簡単な説明】
【００１６】
【図１】実施形態に係るグロメット付ワイヤハーネスを示す断面図である。
【図２】実施形態に係るグロメットの閉鎖面部を示す部分断面図である。
【図３】実施形態に係るグロメットを示す背面図である。
【図４】圧縮された状態の蛇腹部を示す概略断面図である。
【図５】比較例に係る蛇腹部を示す概略断面図である。
【図６】従来のグロメット付ワイヤハーネスを示す断面図である。
【図７】従来のグロメット付ワイヤハーネスを示す概略断面図である。
【発明を実施するための形態】
【００１７】
＜１．  実施形態＞
以下、実施形態に係るグロメット２０について説明する。図１は、実施形態に係るグロメット付ワイヤハーネス１０を示す断面図である。図２は、実施形態に係るグロメット２０の閉鎖面部４０を示す部分断面図である。図３は、実施形態に係るグロメット２０を示す背面図である。
【００１８】
車体パネル１６は、車両において空間を仕切る略板状の部材である。車体パネル１６としては、例えば、車室とエンジンルームとを仕切るパネルが想定される。車体パネル１６には、その両面側に貫通する取付孔１８（貫通孔）が形成されている。ここでは、取付孔１８は略円形状としているが、必ずしも円形状である必要はなく、四角形状等であってもよい。取付孔１８の周縁部は、車体パネル１６のどちらか一方の主面側に曲げる加工処理（バーリング加工）等が適宜施されていてもよい。
【００１９】
グロメット付ワイヤハーネス１０は、ワイヤハーネス１２と、グロメット２０とを備える。
【００２０】
ワイヤハーネス１２は、束ねられた複数の電線を含む。このワイヤハーネス１２は、車体パネル１６の取付孔１８を通って配設されることで、車体パネル１６によって区画される２つの空間のそれぞれに設置される電気機器同士を電気的に接続する部材である。
【００２１】
グロメット２０は、上記ワイヤハーネス１２の長手方向中間部に取付けられた状態で、車体パネル１６に形成された取付孔１８に取付けられる。この状態で、グロメット２０は、ワイヤハーネス１２の取付孔１８の周縁部から保護する。また、グロメット２０は、車体パネル１６によって区画される２つの空間の間で、水や塵等の行き来を防止したり、音を遮断する機能を備える。
【００２２】
グロメット２０は、例えばエラストマー（ゴム又は合成樹脂素材等の弾性素材）で形成されており、小径筒部２２、拡径筒部３０及び閉鎖面部４０とを備えている。
【００２３】
小径筒部２２は、筒形状に形成されており、内部にワイヤハーネス１２が挿通される挿通孔２４が形成されている。小径筒部２２の挿通孔２４を形成する内周面には、軸方向に所要の間隔をあけて複数の環状突部２５が配置されている。各環状突部２５の最内周は、ワイヤハーネス１２の断面よりも若干小さい。すなわち、挿通孔２４の孔径を広げるように小径筒部２２が弾性変形することで、挿通孔２４にワイヤハーネス１２が挿通可能となる。ワイヤハーネス１２が挿通された後、小径筒部２２が収縮することで、小径筒部２２にワイヤハーネス１２が締め付け固定される。複数の環状突部２５を設けることによって、小径筒部２２の挿通孔２４内におけるワイヤハーネス１２との接触面積が低減されるため、挿通容易であるとともに、高いシール性を得ることが可能となる。ただし、複数の環状突部２５は、必須の構成ではなく省略可能である。
【００２４】
小径筒部２２に、その軸方向他方側の端部から、複数の環状突部２５のうち最も軸方向他方側に位置するものよりも手前の位置までにかけて、挿通孔２４の軸方向に沿う切込みが形成されていてもよい。このような切込みを形成することによって、小径筒部２２の拡径が容易となり、ワイヤハーネス１２の挿通が容易となる。
【００２５】
小径筒部２２の軸方向他方側の端部には、周方向に沿って径方向外側に突出するテープ止めリブ２６が設けられている。小径筒部２２にワイヤハーネス１２が挿通保持された状態で、小径筒部２２の外側端部及びワイヤハーネス１２に粘着テープが巻回されることによっても、小径筒部２２に対してワイヤハーネス１２が固定される。
【００２６】
拡径筒部３０は、小径筒部２２から外側に拡がるように形成されている。ここでは、拡径筒部３０は、傘状部３２と、傘状部３２の開放端部側に設けられた厚肉部３４と、傘状部３２と厚肉部３４とを連結する連結部３５とを備える。傘状部３２は、径方向外方と、小径筒部２２の軸方向の一方との合成方向に延びる部分であり、連結部３５は、小径筒部２２の軸方向に延びる部分である。
【００２７】
傘状部３２と厚肉部３４との間の外周部には、取付孔１８の周縁部を嵌め込み可能な環状溝３６が形成されている。連結部３５は、環状溝３６の底側に位置して、傘状部３２と厚肉部３４とを連結している。
【００２８】
環状溝３６の溝幅は、車体パネル１６の取付孔１８の周縁部をはめ込める程度の幅とされ、具体的には、車体パネル１６の厚みと同じか、それよりも若干大きくなるように設定される。環状溝３６の底部の外径（連結部３５の外径）は、取付孔１８の内径と同程度とされている。
【００２９】
環状溝３６自体は、外方に開口する円状溝であるため、上記取付孔１８に対する取付姿勢は自由である。
【００３０】
また、連結部３５の内周部からその内周側（径方向内側）に向けて張出すようにして閉鎖面部４０が形成されている。閉鎖面部４０は、比較的薄い（例えば、傘状部３２よりも薄い）円板状に形成されており、拡径筒部３０の傘状部３２及び連結部３５で形成される内側の空間を閉鎖するように形成されている。このように、拡径筒部３０と閉鎖面部４０によって、空気槽４１が形成される。このような空気槽４１を形成することによって、グロメット２０の遮音性能が高められている。
【００３１】
閉鎖面部４０は、蛇腹部５０を有している。蛇腹部５０は、後述する補助筒部４２を囲む周方向に延びており、軸方向一方側に突出する山部５１と、周方向に延びており軸方向の他方側（山部５１が突出する方向とは逆の方向）に突出する谷部５３とを、拡径筒部３０の径方向に交互に設けて構成されている。蛇腹部５０は、径方向において略均一な厚みを有しており、中心軸を含む横断面視において、山部５１の頂部とその両側の側壁部の内角、及び、谷部５３の底部とその両側の側壁部との内角が大小変化することにより、延在方向（径方向）に伸縮するように構成されている（図２参照）。
【００３２】
本例では、蛇腹部５０は、連続する３つの山部５１（山部５１ａ，５１ｂ，５１ｃ）、及び、各山部５１の間に配された２つの谷部５３（５３ａ，５３ｂ）で構成されている。
【００３３】
連続する３つの山部５１のうち、径方向（拡径筒部３０の中心軸に直交する方向）内側の山部５１ａ及び径方向外側の５１ｃは、中央の山部５１ｂよりも軸方向一方側に突出している。換言すると、各山部５１ａ，５１ｃの各頂部は、山部５１ｂの頂部よりも軸方向一方側に設定されている。隣接する２つの山部５１ａ，５１ｂのうち一方の山部５１ａは他方の山部５１ｂよりも軸方向一方側に突出しており、隣接する２つの山部５１ｂ，５１ｃのうち山部５１ｃは山部５１ｂよりも軸方向一方側に突出している。
【００３４】
また、各谷部５３ａ，５３ｂの軸方向他方側への突出高さはほぼ同じとされている。換言すると、各谷部５３ａ，５３ｂの各頂部は、軸方向においてはほぼ揃った位置に設定されている。なお、隣接する谷部５３同士の突出高さを異ならせてもよい。
【００３５】
閉鎖面部４０の中央部から外方（軸方向一方側）に突出するようにして、補助筒部４２が突設されている。補助筒部４２は、ワイヤハーネス１２を挿通可能な円筒状に形成されている。そして、ワイヤハーネス１２が補助筒部４２に挿通された状態で、粘着テープが補助筒部４２及びワイヤハーネス１２に巻付けられることで、補助筒部４２がワイヤハーネス１２に固定される。
【００３６】
なお、閉鎖面部４０及び補助筒部４２には、部分分割スリット４０Ｓが形成されている。部分分割スリット４０Ｓは、グロメット２０を金型成形する際に、これらの各部分を容易に弾性変形させることで、型抜き容易とする等の役割を果す。
【００３７】
図４は、圧縮された状態の蛇腹部５０を示す概略断面図である。ワイヤハーネス１２が車体パネル１６に対して垂直に配されている場合、図１に示すように、蛇腹部５０はほとんど伸縮することなく、元の形状に維持される。
【００３８】
しかしながら、ワイヤハーネス１２が、曲げられた状態で経路規制されると（図７参照）、ワイヤハーネス１２によって蛇腹部５０の一部が圧縮される。本例の場合、中央の山部５１ｂの突出高さが低いため、両隣の山部５１ａ，５１ｃが山部５１ｂに被さり、さらにこれらは山部５１ｂを越えて互いに重なり合う。この山部５１ａ，５１ｃの重なりの厚さをＤ１とする。
【００３９】
図５は、比較例に係る蛇腹部５０Ａを示す概略断面図である。蛇腹部５０Ａは、３つの山部５１を有しているが、それぞれの突出高さが同一とされている。このような蛇腹部５０Ａを蛇腹部５０の代わりに採用した場合、図５に示すように、蛇腹部５０Ａが圧縮されることで３つの山部５１が上下に重なり合うこととなる。このときの３つ山部５１の重なりの厚さをＤ２とする。
【００４０】
蛇腹部５０Ａは、厚さＤ２までの圧縮変形が可能であるが、それを越えて圧縮変形すると、形状が崩れて空気槽４１に入り込んでしまう（図７参照）。これに対して、本実施形態に係る蛇腹部５０は、厚さＤ２よりも山部５１ｂの厚さ分だけ小さい厚さＤ１まで圧縮変形可能となっている。すなわち、本実施形態に係るグロメット２０は、より薄く変形可能であるため、蛇腹部５０が空気槽４１に入り込むことを低減できる。したがって、遮音機能が低下することを低減できる。
【００４１】
なお、山部５１及び谷部５３の数量は図示のものに限定されるものではなく、任意に設定可能である。すなわち、蛇腹部５０は、少なくとも、２つの山部５１とそれらの間に配される１つの谷部５３とを含めばよい。２つの山部５１のうち、どちらか一方を他方よりも軸方向一方側に突出させることで、蛇腹部５０が収縮した際に崩れにくくなり、空気槽４１が小さくなることを低減できる。もちろん、山部５１が４つ以上設けてもよい。さらに、複数の山部５１の各頂部の位置が、軸方向において異なるようにしてもよい。
【００４２】
また、本実施形態では、各山部５１が突出する方向は、軸方向一方側を向く方向であり、この方向は、拡径筒部３０から遠ざかる方向となっている。すなわち、山部５１ａ，５１ｃが突出する方向は、拡径筒部３０と閉鎖面部４０とで構成される空気槽４１の容積を拡張する方向となっている。このように、空気槽４１の容積を拡張する方向に山部５１ａ，５１ｃを突出させることで、遮音効果を高めることができる。
【００４３】
また、突出高さの異なる複数の山部５１が、軸方向他方側に突出するようにしてもよい。
【００４４】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００４５】
１０  グロメット付ワイヤハーネス
１２  ワイヤハーネス
１６  車体パネル
１８  取付孔
２０  グロメット
２２  小径筒部
２４  挿通孔
３０  拡径筒部
３２  傘状部
３４  厚肉部
３５  連結部
３６  環状溝
４０  閉鎖面部
４１  空気槽
４２  補助筒部
５０，５０Ａ  蛇腹部
５１，５１ａ，５１ｂ，５１ｃ  山部
５３，５３ａ，５３ｂ  谷部
【図１】
0006447381.tif 000002
【図２】
0006447381.tif 000003
【図３】
0006447381.tif 000004
【図４】
0006447381.tif 000005
【図５】
0006447381.tif 000006
【図６】
0006447381.tif 000007
【図７】
0006447381.tif 000008